(57)【要約】      （修正有）【課題】カツラを長期に装着してもベタつかず、毛髪の展着が少なく、しかも安全性の高いカツラ専用水性粘着剤を提供する。【解決手段】アクリルと酢酸ビニルとの共重合樹脂エマルジョンを主成分とする水性接着剤に低分子シリコーンを添加することを特徴とするカツラ専用水性粘着剤であり、好ましくは、低分子シリコーンがカチオン化ジメチルシリコーンであり、さらに抗炎症剤及び／又は殺菌剤を添加したカツラ専用水性粘着剤。【選択図】なし【特許請求の範囲】
【請求項１】
アクリルと酢酸ビニル樹脂との共重合エマルジョンを主成分とし低分子シリコーンを添加することを特徴とするカツラ専用水性粘着剤。
【請求項２】
低分子シリコーンがカチオン化ジメチルシリコーンであることを特徴とする請求項１記載のカツラ専用水性粘着剤。
【請求項３】
請求項１又は２記載のカツラ用粘着剤において、抗炎症剤及び／又は殺菌剤を添加したことを特徴とするカツラ専用水性粘着剤。
【発明の詳細な説明】
【技術分野】
【０００１】
本発明は、カツラ専用水性粘着剤に関するものである。
【背景技術】
【０００２】
近年、カツラの技術が急速に進歩し、女性のみならず男性も躊躇なく愛用し、老若男女が着用する時代となっている。
【０００３】
しかしながら、カツラの技術は、毛髪の状態、すなわちいかに天然の毛髪に見せるかに集中しており、カツラを頭皮に留める方法の技術はそれに比べて進歩していないのが現状である。
【０００４】
従来、カツラを頭皮に留める方法としては、クリップによる方法、両面テープによる方法、あるいは天然ゴム系の接着剤による方法等があった。例えば、合成ポリイソプレンラテックスを主基剤とする義髪類用接着剤が開示されている(特開昭５７−９２０７３号公報(特許文献１))が、いずれも装着保持時間が１日程度であり、また水泳時に離脱する等の欠点があり、一方強固に固定するとはずし難く、また有害な成分を含んだ接着剤である等、カツラを常用している人たちからは不満の声が上がっていた。
【０００５】
そこで本発明者は、上記のような問題を解決できる接着剤を開発し、既に特許出願をしている(特開２００２−３１７１６４号公報(特許文献２))。すなわち、アクリルと酢酸ビニル樹脂との共重合エマルジョンを主成分とする水性接着剤を発明した。
【０００６】
更に、長期使用に耐えられるような水性粘着剤として、水性ウレタン樹脂剤を主成分とする水性粘着剤用効果延長剤を開発し、特許出願をしている(特開２００５−１３２９５０号公報(特許文献３))。
【０００７】
【特許文献１】特開昭５７−９２０７３号公報
【特許文献２】特開２００２−３１７１６４号公報
【特許文献３】特開２００５−１３２９５０号公報
【発明の開示】
【発明が解決しようとする課題】
【０００８】
カツラを長期に装着してもベタつかず、毛髪の展着が少なく、しかも安全性の高いカツラ専用水性粘着剤を開発することを課題とする。
【課題を解決するための手段】
【０００９】
本発明者等は、上記課題を解決すべく鋭意努力した結果、本出願人が先に開発したアクリルと酢酸ビニル樹脂との共重合エマルジョンを主成分とする水性接着剤に少量の低分子シリコーンを添加することで解決できることを見出した。
【００１０】
すなわち、本発明は
(１) アクリルと酢酸ビニル樹脂との共重合エマルジョンを主成分とし低分子シリコーンを添加することを特徴とするカツラ専用水性粘着剤、
(２) 低分子シリコーンがカチオン化ジメチルシリコーンであることを特徴とする(１)記載のカツラ専用水性粘着剤、
(３)(１)又は(２)記載のカツラ用粘着剤において、抗炎症剤及び／又は殺菌剤を添加したことを特徴とするカツラ専用水性粘着剤
に関する。
【００１１】
本願発明は、前述した水性粘着剤用効果延長剤が、水性粘着剤の他に本効果延長剤をも使用する必要があるため煩雑であった点を改良して、水性粘着剤のみで効果が長期に持続することを特徴としたものである。
【００１２】
本願発明において低分子シリコーンとは、ケイ素と酸素が交互に結合したシロキサン結合を骨格とし、そのケイ素原子に有機基がついた構造を持つ有機ケイ素ポリマーの内、
低分子に該当するものを表している。低分子のシリコーンとは、例えば２００ｍｍ２／ｓのジメチルシリコーンオイルのマイクロエマルジョンで粒子径約４０ｎｍ、外観は透明で希釈安定性に優れており、カチオン化したものが挙げられる。
【００１３】
シリコーンであっても、ポリエーテル変性のものやアミノ変性のものは、粘着力が極端に低下し、またジメチルシリコーンであってもカチオン化してない場合も同様に粘着力が低下する。
【００１４】
シリコーンは、オイル、エマルジョン、ゴム状、樹脂状及びモノマーに分けられ、主に剥離・離型剤として使用されており、他に撥水剤や電気絶縁体、潤滑剤としても用いられている。また乳液やクリーム等の油剤や界面活性剤、ファンデーション・日焼け止め等の皮膜剤、粉体の処理剤・分散剤としても使用されている。更には、シリコーンは基本的に無害であるところから、食品の消泡剤、医療用皮膚再生パットとしても用いられている。
なお、シリコーンは、水・アルコール類・グリコール類には溶解せず、トルエン・キシレンに容易に溶解する。
【００１５】
水性粘着剤は、水溶液タイプのものと、エマルジョン型のものとがある。水溶液タイプのものは特殊であり大部分がエマルジョン型で、高濃度のものが得られる。コストが安い、安全性が高い、無公害等の利点があるが、一方耐水性が悪い、電気特性が悪い、乾燥時間が長い、エネルギー消費が大きいなどの欠点がある。エマルジョン型は天然ゴムラテックス、ＩＲラテックス、イソブチレンラテックス等のゴム系のものもあるが、主流はアクリル系エマルジョンである。
【００１６】
このエマルジョン型の水性粘着剤にシリコーンを添加することによって、上記のような耐水性が悪い、乾燥時間が長い等の欠点も解消される。また、通常接着剤を生産する場合、高分子原料を使用することによって短時間での硬化を目的としていたが、本願発明では低分子のシリコーンを使うことにより、硬化時間を遅くさせ粘着性を保ち長時間の使用に耐え得るようにしている。しかもベタツキ感が少ないという特徴を有している。更には、低分子のシリコーンを使用した場合、長期使用によるフラギング(剥離する部分が出る状態)を回避することが可能となる。
【発明の効果】
【００１７】
本発明により、カツラを長期に装着してもベタつかず、カツラの毛髪の展着が少なく、しかも安全性の高いカツラ専用水性粘着剤を提供することができる。
【発明を実施するための最良の形態】
【００１８】
以下に本発明を具体的に説明するために実施例を示すが、本発明はこれに限定されるものではない。
【実施例１】
【００１９】
(粘着剤成分内訳)
【表１】
2009263822.tif 000002
【００２０】
上記の成分割合を見ても分かるように、粘着剤中のアクリル／酢酸ビニル樹脂共重合エマルジョンの量は、全量の９０重量％以上、特に９９重量％以上が好ましい。更にその共重合エマルジョンの内、樹脂分が５０重量％以上含まれていることが好ましい。
【実施例２】
【００２１】
（モニター試験）
表１に記載の成分を有する本発明のカツラ専用水性粘着剤を使用したカツラを、従来のカツラ用粘着剤を使用したカツラを装着していた方々３０名のモニターに３０日間装着させ、その結果を表２にまとめた。
【００２２】
【表２】
2009263822.tif 000003
【００２３】
なお、表中「ベタツキ感」及び「毛髪の展着」は、本発明品の装着においての評価である。
【００２４】
また、装着期間とは、洗髪回数と同義であり、入浴洗髪時にシャンプーを３ｇ手に取り、直接頭髪に塗布しシャワーで洗髪し、これを１日１回として洗髪回数、すなわち装着期間とした。
【００２５】
表２から明らかなように、本発明の接着剤により装着したカツラは、装着してから１週間以上はしっかりと固定されていることが分かる。また、長期の装着でも現行品に比べ「ベタツキ感があまり感じられない」し、毛髪の展着も「現行品に比べ少なく」なっている。
【００２６】
なお、現行品については、ベタツキ又はこれによる毛髪の展着が起こり、カツラの装着を中止する人が多く、粘着力の変化については確認できなかった。